【事件の表示】
　平成　６年特許願第３２６８４８号「画像処理装置用エンコーダ」拒絶査定不服審判事件〔平成　８年　７月１６日出願公開、特開平　８−１８６７２３〕について、次のとおり審決する。
【結　論】
　本件審判の請求は、成り立たない。
【理　由】
１．手続の経緯
　本願は、平成６年１２月２８日の出願であって、平成１４年７月４日付けで拒絶査定がなされ、これに対して、平成１４年８月８日に拒絶査定に対する審判請求がなされるとともに、平成１４年９月６日付けで手続補正がなされたものである。
　
２．平成１４年９月６日付けの手続補正についての却下の決定
［補正却下の決定の結論］
　平成１４年９月６日付けの手続補正を却下する。
［理由］
（１）補正後の特許請求の範囲
　本補正により、特許請求の範囲の請求項１は、
「エントロピー符号化テーブルデータを構成する各符号語データにおける最上位ビットから連続する「１」のデータを上記符号語データから除去した残余のデータに相当する圧縮符号語データであるパーシャルコードを含む圧縮エントロピー符号化テーブルデータを利用してデジタル画像データの圧縮若しくは伸長を行う画像処理装置用エンコーダにおいて、
　上記符号語データについて、上記最上位ビットから連続する「１」のデータ数に基づいて複数のグループにグループ化したときの各グループを示すコントロールコードと、上記パーシャルコードと、圧縮前の符号語データのコード長を示すコードレングスデータとを記憶し、外部から供給される符号化しようとするデータに基づき上記コントロールコードと、上記パーシャルコードと、上記コードレングスデータとを送出する記憶手段と、
　上記記憶手段から上記コントロールコードが供給され該コントロールコードに基づき制御信号を送出する第１制御手段と、
　外部から「１」のデータが供給され、かつ上記記憶手段から送出された上記パーシャルコードが供給され、かつ上記第１制御手段から上記制御信号が供給される複数のマルチプレクサと、
　を備え、それぞれのマルチプレクサは、上記制御信号に基づき上記「１」のデータ又は上記パーシャルコードのいずれかを選択して送出する、
ことを特徴とする画像処理装置用エンコーダ。」
と補正された。
（２）本補正の目的についての検討
　補正後の請求項１における「上記記憶手段から上記コントロールコードが供給され該コントロールコードに基づき制御信号を送出する第１制御手段と、外部から「１」のデータが供給され、かつ上記記憶手段から送出された上記パーシャルコードが供給され、かつ上記第１制御手段から上記制御信号が供給される複数のマルチプレクサと、を備え、それぞれのマルチプレクサは、上記制御信号に基づき上記「１」のデータ又は上記パーシャルコードのいずれかを選択して送出する」という構成は、補正前の請求項１における「外部から「１」のデータが供給され、かつ上記記憶手段から上記圧縮符号語データ及び上記コントロールコードが供給され、上記コントロールコードに基いて、上記圧縮符号語データの上位側に上記除去された数に相当する「１」のデータを付加して上記符号語データの生成を行う生成手段」という構成を、同請求項２に記載された構成を含めて置き換えたものであるが、補正前の構成にあった「上記圧縮符号語データの上位側に上記除去された数に相当する「１」のデータを付加」する点が削除されており、補正前の前記構成を限定したものとは言えない。
　したがって、上記補正は特許請求の範囲の減縮を目的としたものとは認められず、また請求項の削除を目的としたものとも、誤記の訂正を目的としたものとも、明りょうでない記載の釈明を目的としたものとも認められない。
（３）むすび
　以上の通り本補正は、特許法第１７条の２第３項第１〜４号のいずれにも該当しないので、特許法第１５９条第１項で準用する特許法第５３条第１項の規定により却下されるべきものである。
　
３．本願発明
　上記補正は却下されたので、本願の請求項１に係る発明は、平成１４年５月３１日付け手続補正書の特許請求の範囲の請求項１に記載された次のとおりのものと認める。（以下、「本願発明」という。）
　
「エントロピー符号化テーブルデータを構成する各符号語データにおける最上位ビットから連続する「１」のデータを上記符号語データから除去した残余のデータに相当する圧縮符号語データを含む圧縮エントロピー符号化テーブルデータを利用してデジタル画像データの圧縮若しくは伸長を行う画像処理装置用エンコーダにおいて、
　上記「１」のデータの連続する数によって上記符号語データをグループ化しその各グループを示すコントロールコードと、上記圧縮符号語データと、圧縮前の符号語データのコード長を示すコードレングスデータとを記憶し、かつ外部から供給される符号化しようとするデータに基づき上記コントロールコード及び上記圧縮符号語データを選択して送出し並びに上記選択された上記コントロールコード及び上記圧縮符号語データを含む上記圧縮エントロピー符号化テーブルデータのコードレングスデータを送出する記憶手段と、
　外部から「１」のデータが供給され、かつ上記記憶手段から上記圧縮符号語データ及び上記コントロールコードが供給され、上記コントロールコードに基いて、上記圧縮符号語データの上位側に上記除去された数に相当する「１」のデータを付加して上記符号語データの生成を行う生成手段と、
を備えたことを特徴とする画像処理装置用エンコーダ。」
　
４．引用刊行物記載の発明
　これに対して、原査定の拒絶の理由に引用された特開昭５６−４９６０号公報（以下「引用刊行物」という。）には、図面とともに次の事項が記載されている。
　ア　「２．特許請求の範囲
（１）  文字情報等のランレングスを下位Ｎ桁のビツトのみ符号変化しＮ＋１桁以上のビツトでは“０”又は“１”の個数だけが異なる可変符号長型式のモデイフアイドホフマン符号の如き２値コード信号に変換するための回路であつて、入力情報信号のランレングス数を計数する第１カウンタ手段と、この各ランレングス数に対応する前記コード信号の下位Ｎビツトの符号を格納した第１のメモリ手段と、その各コード信号の符号長を格納した第２のメモリ手段と、前記第１カウンタ手段の出力に対応して該第１第２メモリ手段から読出された各信号がそれぞれロードされるシリアル・パラレル変換用のレジスタ手段及び第２のカウンタ手段と、前記第２のカウンタ手段の出力を得て入力情報信号に対応する前記コード信号の符号長ＬがＮビツト以下か否かを判定する手段と、該手段によりＬ≦Ｎと判定された時は前記レジスタ手段の上位側Ｌ桁の符号を読出し、Ｌ≧Ｎ＋１と判定された時は（Ｌ−Ｎ）個の“０”又は“１”を導出した後に前記レジスタ手段内に格納された符号をシリアルに読出すことにより前記コード信号を得る手段を備えてなる符号化回路。」（１頁左欄３行〜同右欄５行）
　イ　「近年の高速フアクシミリ装置に於いては、伝送時間の短縮や伝送帯域の圧縮のために、文字情報のランレングスを適当な圧縮符号に変換して伝送する方法が採用されており、斯る圧縮符号化の一方法としてモデイフアイドホフマンコード（MHコード）に依るものが最近クローズアツプされるようになつて来た。」（２頁上左欄１４〜２０行）
　ウ  「本発明はMHコードの特殊な符号構成に着眼し、ビツト容量の比較的小さいメモリを使用でき、しかも、メモリの個数を少なくできる符号化回路を提案するものであり、以下、その詳細を図面に示す一実施例に則して説明する。」（２頁下左欄１８行〜同下右欄２行）
　エ　「前記第１第２メモリ（５）（６）は第１マルチプレクサ４の出力（A5〜A0）がランレングス指定用のアドレス信号として印加されると共に、第１バツフアメモリ（２）からの画信号（Ｖ）を入力とする白黒変化点検出回路（７）の出力で反転せしめられるＴフリツプ・フロツプ（８）の出力が白黒指示用のアドレス信号（A6）として、また、第１マルチプレクサ（４）への切換制御信号（S1）がターミネイト・メイクアツプ指示用のアドレス信号（A7）としてそれぞれ印加されるようになつている。そして、その第１メモリ（５）には前記アドレス信号（A5〜A0）が表わすランレングス数に相当する各MHコードの下位側（右側）の８ビツトまでの符号が予め格納されており、第２メモリ（６）にはその各Ｍコードの符号長（ビツト数）を表わす２進数コードが格納されている。その際、第１第２メモリ（５）（６）は前記アドレス信号（A6）が“０”である時は白のMHコードを読出し、“１”である時は黒のMHコードを読出すように構成され、且つ、アドレス信号（A7）が“０”である時はターミネイト符号を読出し、“１”である時はメイクアツプ符号を読出すようになつている。また、８ビツト以下のMHコードに対しては、第１メモリはその各MHコードの下位側に“０”を数個追加することにより常に８ビツトの符号として格納されるようになつている。
  なお、第１メモリ（５）にMHコードの下位８ビツトの符号を格納するようにしているのは、MHコードは前述の表に示されるように下位８ビツトの符号だけが変化し、９ビツト目以上の各ビツトは全て“０”となつているからである。
　一方、（９）は第１メモリ（５）の出力（M7〜M0）がロードされるシフトレジスタであり、このレジスタからシリアルに読出された信号（Ｐ）が第２マルチプレクサ（１２）に導入されるようになつている。また、（１０）は第２メモリ６の出力の下位側の４ビツト（N3〜N0）がロードされる第２カウンタであり、この第２カウンタの出力（Ｏ3〜Ｏ0）がコントローラ（１１）に導入されるようになつている。その際、前述の第２メモリ（６）には各MHコードのビツト数が８ビツトの２進数として格納されているが、前述の表に示すランレングス1728までの各MHコードのうちビツト数の最大のものは13ビツトであり、これは４ビツトの２進数で表わすことができるので、第２カウンタ（１０）は上述の如く第２メモリ（６）の出力の下位桁側の４ビツトだけを第２カウンタ（１０）にロードするようにしている訳である。
  前記コントローラ（１１）はマイクロプロセツサー等で構成されており、前記第１第２カウンタ（３）（１０）及びシフトレジスタ（９）等にクロツクパルス（φ）を供給すると共に、前記変化点検出回路（８）の出力（Ｈ）及び上記第２カウンタ（１０）の出力（Ｏ3〜Ｏ0）を監視し、それによつて第１第２マルチプレクサ（３）（１２）への各切換制御信号（S1）（S2）及び第２カウンタ（１０）とシフトレジスタ（９）へのロード指令信号（Ｌ）等を発生させるものである。また、このコントローラ（１１）からの前記クロツクパルス（φ）は第２マルチプレクサ（１２）にも導入されるようになつており、（１３）はこの第２マルチプレクサから導出された信号を一時収納するためのRAM等からなる第２バツフアメモリである。」（２頁下右欄１８行〜３頁下左欄１７行）
　オ　「そこで、今、第１第２メモリ（５）（６）からは、そのアドレス入力（A7〜A0）がランレングス128の黒を表わしているので、それに対応する情報が読出される。即ち、前述の表に依ればランレングス128の黒のMHコードは〔000011001000〕であるから、第１メモリ（５）の出力（M7〜M0）はそのMHコードの下位桁側８ビツトの符号〔11001000〕となり、第２メモリ（６）の出力（N7〜N0）はそのMHコードのビツト数12を表わす８ビツトの２進数〔00001100〕となる。そして、この各信号がこの時点でコントローラ（１１）から発生されるロード指令信号（Ｌ）によつてシフトレジスタ（９）及び第２カウンタ（１０）にそれぞれロードされる。そして、この第２カウンタ（１０）の出力（Ｏ3〜Ｏ0）即ち上記２進数の下位側の４ビツトの信号〔1100〕がコントローラ（１１）に導入される。
  次に、前記コントローラ（１１）は第２カウンタ（１０）の出力〔1100〕が導入されると、その出力が表わす２進数が８以下の数であるか否かを判断する。そして、今の場合は〔1100〕＝12＞８と判定され、それによつてコントローラ（１１）は12―８＝４個のクロツクパルス（φ）を第２マルチプレクサ（１２）に送り出し、且つ、その第２マルチプレクサがその４個のパルス（φ）をそれぞれ“０”の信号としてシリアルに導出するように制御する。そして、その各信号が第２バツフアメモリ（１３）に順次収納される。
  前記第２バツフアメモリ（１３）への上記収納動作が終了すると、コントローラ（１１）は今度はシフトレジスタ（９）にクロツクパルス（φ）を供給し、それによつてこのレジスタ（９）に収納されている〔11001000〕をその上位桁（左側）からシリアルに読出し、且つ、この信号を第２マルチプレクサ（１２）から順次導出させるよう切換える。
  一方、前記第２マルチプレクサ（１２）及びシフトレジスタ（９）に供給されるクロツクパルス（φ）は第２カウンタ（１０）にも導入され、それによつてこの第２カウンタは順次カウントダウンして行く。そして、この第２カウンタ（１０）の出力（Ｏ3〜Ｏ0）の各ビツトが“０”になると、コントローラ（１１）がそれを検知してクロツクパルス（φ）のシフトレジスタ（９）への供給を停止する。すると、この時点ではクロツクパルス（φ）は第２マルチプレクサ（１２）への４個とシフトレジスタ（９）への８個の合計12個が導出されたことになるから、上記レジスタ（９）内の８ビツトの符号〔11001000〕が全て読出されたことになる。従つて、第２バツフアメモリ（１３）には最初に４個の“０”即ち〔0000〕がシリアルに収納され、それに続いて〔11001000〕が収納されるから、この第２バツフアメモリ（１３）の内容を読出せばランレングス128の黒のMHコードを出力端子１４に導出できることになる。」（４頁上左欄１２行〜同下右欄４行）
  
　これら記載事項によると、引用刊行物には、
「文字情報等のランレングスを下位Ｎ桁のビツトのみ符号変化しＮ＋１桁以上のビツトでは“０”又は“１”の個数だけが異なる可変符号長型式のモデイフアイドホフマン符号の如き２値コード信号に変換するための回路であつて、入力情報信号のランレングス数を計数する第１カウンタ手段と、この各ランレングス数に対応する前記コード信号の下位Ｎビツトの符号を格納した第１のメモリ手段と、その各コード信号の符号長を格納した第２のメモリ手段と、前記第１カウンタ手段の出力に対応して該第１第２メモリ手段から読出された各信号がそれぞれロードされるシリアル・パラレル変換用のレジスタ手段及び第２のカウンタ手段と、前記第２のカウンタ手段の出力を得て入力情報信号に対応する前記コード信号の符号長ＬがＮビツト以下か否かを判定する手段と、該手段によりＬ≦Ｎと判定された時は前記レジスタ手段の上位側Ｌ桁の符号を読出し、Ｌ≧Ｎ＋１と判定された時は（Ｌ−Ｎ）個の“０”又は“１”を導出した後に前記レジスタ手段内に格納された符号をシリアルに読出すことにより前記コード信号を得る手段を備えてなる符号化回路。」
の発明（以下「引用発明」という。）が記載されている。
　
５．対比
　本願発明と引用発明とを対比すると、引用発明の「可変符号長型式のモデイフアイドホフマン符号の如き２値コード信号」、「コード信号の下位Ｎビツトの符号」、「各コード信号の符号長」、「入力情報信号のランレングス数」及び「符号化回路」は、それぞれ本願発明の「エントロピー符号化テーブルデータを構成する各符号語データ」、「圧縮符号語データ」、「圧縮前の符号語データのコード長を示すコードレングスデータ」、「外部から供給される符号化しようとするデータ」及び「画像処理装置用エンコーダ」に相当し、引用発明の「文字情報等のランレングス」が黒と白の２値のデジタル画像データを前提としていることは、当業者にとって自明のことである。そして、引用発明における「“０”又は“１”」はどちらでもよいことは明らかでこれを「１」とすることが記載されていると言うことができ、また信号をパラレルで扱うかシリアルで扱うかそのためにシリアル・パラレル変換用のレジスタ手段を用いるかどうかは当業者が適宜設計すべきことにすぎないから、引用発明の「（Ｌ−Ｎ）個の“０”又は“１”を導出した後に前記レジスタ手段内に格納された符号（これは第１のメモリ手段から読み出されたものであるから、結局「コード信号の下位Ｎビットの符号」である。）をシリアルに読出すことにより前記コード信号を得る手段」は「外部から「１」のデータが供給され、かつ記憶手段から圧縮符号語データが供給され、上記圧縮符号語データの上位側に上記除去された数に相当する「１」のデータを付加して上記符号語データの生成を行う生成手段」に相当する。（上記４．オに記載されているように、引用発明における上記手段として具体的にはマルチプレクサ（第２マルチプレクサ１２）が用いられているから、これを用いて「１」を付加するには外部から「１」のデータを供給することは自明である。） 
　したがって、本願発明と引用発明は、
「エントロピー符号化テーブルデータを構成する各符号語データにおける最上位ビットから連続する「１」のデータを上記符号語データから除去した残余のデータに相当する圧縮符号語データを利用してデジタル画像データの圧縮を行う画像処理装置用エンコーダにおいて、
　上記圧縮符号語データと、圧縮前の符号語データのコード長を示すコードレングスデータとを記憶し、かつ外部から供給される符号化しようとするデータに基づき圧縮符号語データを選択して送出する記憶手段と、
　外部から「１」のデータが供給され、かつ上記記憶手段から上記圧縮符号語データが供給され、上記圧縮符号語データの上位側に上記除去された数に相当する「１」のデータを付加して上記符号語データの生成を行う生成手段と、
を備えたことを特徴とする画像処理装置用エンコーダ。」
である点で一致しているが、下記の点で相違する。
　
（相違点１）本願発明では、「１」のデータの連続する数によって符号語データをグループ化しその各グループを示すコントロールコードを記憶手段に記憶し、このコントロールコードを生成手段に供給することにより、生成手段がコントロールコードに基づいて、除去された数に相当する「１」のデータを付加するのに対し、引用発明では、第２のカウンタ手段と判定する手段を用いて圧縮前の符号語データのコード長を示すコードレングスデータＬと圧縮符号語データのビット数Ｎの大小を判定しその判定結果によって生成手段が除去された数に相当する「１」のデータを付加する点。
　
（相違点２）本願発明では、コントロールコードと、圧縮符号語データと、圧縮前の符号語データのコード長を示すコードレングスデータとが記憶手段に記憶されているのに対し、引用発明では、圧縮符号語データと圧縮前の符号語データのコード長を示すコードレングスデータがそれぞれ、第１のメモリ手段及び第２のメモリ手段に記憶されている点。
　
（相違点３）本願発明では、コントロールコード及び圧縮符号語データを含む圧縮エントロピー符号化テーブルデータを定義し、この圧縮エントロピー符号化テーブルデータのコードレングスデータを記憶手段が送出するのに対し、引用発明では、圧縮エントロピー符号化テーブルデータ及びそのコードレングスデータが記載されていない点。
　
６．当審の判断
（相違点１について）引用発明では「下位Ｎ桁のビツトのみ符号変化しＮ＋１桁以上のビツトでは“１”の個数だけが異なる」符号語データを前提としているから上記ＬとＮの大小の判定結果は結局、最上位ビットから「１」のデータの連続する数が０か１以上かを示しており、最上位ビットから連続する「１」のデータ数に基づいてグループ化したときのグループを示すと言い換えることができるから、この判定結果は本願発明のコントロールコードに相当する。そして、高速処理を行うことは当業者の一般的な技術的課題であるから、引用発明における判定結果をあらかじめ周知のルックアップテーブルとして用いられる記憶手段に記憶させておいてこれを読み出すことにより高速な判定を行うことは当業者が容易に想到しうることである。
　
（相違点２について）上記４．ウで示したように、引用刊行物にはメモリの個数を少なくすべきことが記載されているから、引用発明の同一のメモリ機能を有する第１第２のメモリ手段やコントロールコードのルックアップテーブル（上記相違点１についてを参照。）を一つの記憶手段で構成することは当業者が容易になし得ることである。
　
（相違点３について）上記（相違点２について）で検討したように、コントロールコードや圧縮符号語データを一つの記憶手段すなわちルックアップテーブルに記憶させる場合、その一つのデータの単位を「圧縮エントロピー符号化テーブルデータ」と定義することは表現上の問題にすぎない。そして、圧縮エントロピー符号化テーブルデータのコードレングスデータを送出する点は、本願発明において前記コードレングスデータがどのように用いるのか明らかでないから、技術的意義のない構成である。（この点は、発明の詳細な説明の記載を参酌したとしても、「１５ビットに圧縮された圧縮ハフマンテーブルデータをｅｎｄａｔ１４〜ｅｎｄａｔ０とすると、各ビットの構成は以下の表２のようになる。」（明細書段落１６）、「ｅｎｄａｔ１２〜８にて構成されるコードレングスは該圧縮ハフマンテーブルデータの符号長を表す。」（明細書段落１８）及び表２（明細書段落１７）の記載により、圧縮ハフマンテーブルデータが「圧縮エントロピー符号化テーブルデータ」に相当するものと認められるが、この圧縮ハフマンテーブルデータコードレングスは常に１５ビットになることが読みとれるだけで、この１５という数字にいかなる意義があるのか不明である。）このように技術的意義のない構成を付加することは、当業者が容易になし得ることである。
　
７．むすび
　以上のとおり、本願発明は、引用発明に基づいて当業者が容易に発明をすることができたものであるから、特許法第２９条第２項の規定により特許を受けることができない。
　よって、結論のとおり審決する。